(57)【要約】  ランダムアクセス手順を実施する通信装置であって、前記ランダムアクセス手順の信号である第１の信号と、前記ランダムアクセス手順の信号ではない第２の信号と、を送信できる送信部と、前記第１の信号で送信される第１の情報を前記第２の信号に含め、前記第２の信号に関連する制御情報を送信する制御を実施できる制御部と、を有する。
2020148817.tif 000002
【特許請求の範囲】
【請求項１】
ランダムアクセス手順を実施する通信装置であって、
前記ランダムアクセス手順の信号である第１の信号と、前記ランダムアクセス手順の信号ではない第２の信号と、を送信できる送信部と、
前記第１の信号で送信される第１の情報を前記第２の信号に含め、前記第２の信号に関連する制御情報を送信する制御を実施できる制御部と、
を有する通信装置。
【請求項２】
前記第１の信号は、Random Access Preamble assignmentであり、
前記第２の信号は、PDSCH（Physical Downlink Shared Channel）であり、
前記第１の情報は、Random Access Preambleの識別番号を含む、
請求項１記載の通信装置。
【請求項３】
さらに、送信相手装置が送信した前記ランダムアクセス手順の応答信号である第３の信号を、前記第２の信号を前記送信相手装置が正常に受信したことを示す肯定応答として受信する受信部と、
を有する請求項１記載の通信装置。
【請求項４】
前記制御部は、前記送信相手装置が前記第２の信号を正常に受信できなかったことを示す否定応答に対応する第２の情報を、前記第２の信号に含め送信し、
前記受信部は、前記第３の信号が前記第２の情報に関連する場合、前記第３の信号を前記否定応答として受信する
を有する請求項３記載の通信装置。
【請求項５】
前記第３の信号は、Random Access Preambleであり、
請求項３記載の通信装置。
【請求項６】
前記第３の信号は、Random Access Preambleであり、
前記第２の情報は、前記第１の情報に含まれるRandom Access Preambleの識別番号とは異なるRandom Access Preambleの識別番号を含む
請求項４記載の通信装置。
【請求項７】
前記第２の情報は、前記第２の信号の否定応答に対応するRandom Access Preambleを示す情報を含む
請求項４に記載の通信装置。
【請求項８】
ランダムアクセス手順を実施する第２通信装置であって、
送信側装置が送信する、前記ランダムアクセス手順の信号である第１の信号と、前記ランダムアクセス手順の信号ではない第２の信号と、を受信できる信号受信部と、
前記送信側装置が前記第１の信号で送信される第１の情報を含む前記第２の信号を送信するときに送信する、前記第２の信号に関連する制御情報を受信し、前記第２の信号に前記第１の情報が含まれることを認識することができる受信制御部と、
を有する第２通信装置。
【請求項９】
前記受信制御部は、前記第１の情報が含まれる前記第２の信号を正常に受信したとき、前記ランダムアクセス手順の応答信号である第３の信号を送信する
請求項８記載の第２通信装置。
【請求項１０】
さらに、前記送信側装置は、前記第２通信装置が前記第２の信号を正常に受信できなかったことを示す否定応答に対応する第２の情報を、前記第２の信号に含め送信し、
前記受信制御部は、前記第１の情報が含まれる前記第２の信号を正常に受信できないとき、前記第３の信号に前記第２の情報が含め送信する、
請求項９記載の第２通信装置。
【請求項１１】
ランダムアクセス手順を実施する送信側通信装置と受信側通信装置を有する通信システムであって、
前記送信側通信装置は、
前記ランダムアクセス手順の信号である第１の信号と、前記ランダムアクセス手順の信号ではない第２の信号と、を送信できる送信部と、
前記第１の信号で送信される第１の情報を前記第２の信号に含め、前記第２の信号に関連する制御情報を送信する制御を実施できる制御部と、を有し、
前記受信側通信装置は、
前記送信側通信装置が送信する、前記第１の信号と前記第２の信号を受信できる信号受信部と、
前記送信側通信装置が送信する前記第２の信号に関連する制御情報を受信し、前記第２の信号に前記第１の情報が含まれることを認識することができる受信制御部と、を有する、
通信システム。
【発明の詳細な説明】
【技術分野】
【０００１】
本発明は、通信装置、第２通信装置、及び通信システムに関する。
【背景技術】
【０００２】
現在の通信ネットワークは、モバイル端末（スマートフォンやフューチャーホン）のトラフィックが通信ネットワークのリソースの大半を占めている。また、モバイル端末が使用するトラフィックは、今後も拡大していく傾向にある。【０００３】
一方で、通信ネットワークは、IoT（Internet of things）サービス（例えば、交通システム、スマートメータ、装置等の監視システム）の展開にあわせて、多様な要求条件を持つサービスに対応することが求められている。そのため、第５世代移動体通信（５Gまたは、NR（New Radio））の通信規格では、第４世代移動体通信（4G）の標準技術（例えば、非特許文献１〜１２）に加えて、さらなる高データ信号レート化、大容量化、低遅延化を実現する技術が求められている。なお、第５世代通信規格については、３GPPの作業部会（例えば、TSG−RAN WG１、TSG−RAN WG２等）で技術検討が進められており、2017年12月に、初版がリリースされている（非特許文献１３〜３９）。【０００４】
上述した多種多様なサービスに対応するため、5Gにおいては、eMBB（Enhanced Mobile BroadBand）、Massive MTC（Machine Type Communications)、およびURLLC（Ultra−Reliable and Low Latency Communication）に分類される多くのユースケースのサポートを想定している。【０００５】
５Ｇに関する技術については、以下の先行技術文献に記載されている。
【先行技術文献】
【非特許文献】
【０００６】
【非特許文献１】3GPP  TS  36.133  V15.3.0（2018-06）
【非特許文献２】3GPP  TS  36.211  V15.2.0（2018-06）
【非特許文献３】3GPP  TS  36.212  V15.2.1（2018-07）
【非特許文献４】3GPP  TS  36.213  V15.2.0（2018-06）
【非特許文献５】3GPP  TS  36.300  V15.2.0（2018-06）
【非特許文献６】3GPP  TS  36.321  V15.2.0（2018-07）
【非特許文献７】3GPP  TS  36.322  V15.1.0（2018-07）
【非特許文献８】3GPP  TS  36.323  V15.0.0（2018-07）
【非特許文献９】3GPP  TS  36.331  V15.2.2（2018-06）
【非特許文献１０】3GPP  TS  36.413  V15.2.0（2018-06）
【非特許文献１１】3GPP  TS  36.423  V15.2.0（2018-06）
【非特許文献１２】3GPP  TS  36.425  V15.0.0（2018-06）
【非特許文献１３】3GPP  TS  37.340  V15.2.0（2018-06）
【非特許文献１４】3GPP  TS  38.201  V15.0.0（2017-12）
【非特許文献１５】3GPP  TS  38.202  V15.2.0（2018-06）
【非特許文献１６】3GPP  TS  38.211  V15.2.0（2018-06）
【非特許文献１７】3GPP  TS  38.212  V15.2.0（2018-06）
【非特許文献１８】3GPP  TS  38.213  V15.2.0（2018-06）
【非特許文献１９】3GPP  TS  38.214  V15.2.0（2018-06）
【非特許文献２０】3GPP  TS  38.215  V15.2.0（2018-06）
【非特許文献２１】3GPP  TS  38.300  V15.2.0（2018-06）
【非特許文献２２】3GPP  TS  38.321  V15.2.0（2018-06）
【非特許文献２３】3GPP  TS  38.322  V15.2.0（2018-06）
【非特許文献２４】3GPP  TS  38.323  V15.2.0（2018-06）
【非特許文献２５】3GPP  TS  38.331  V15.2.1（2018-06）
【非特許文献２６】3GPP  TS  38.401  V15.2.0（2018-06）
【非特許文献２７】3GPP  TS  38.410  V15.0.0（2018-06）
【非特許文献２８】3GPP  TS  38.413  V15.0.0（2018-06）
【非特許文献２９】3GPP  TS  38.420  V15.0.0（2018-06）
【非特許文献３０】3GPP  TS  38.423  V15.0.0（2018-06）
【非特許文献３１】3GPP  TS  38.470  V15.2.0（2018-06）
【非特許文献３２】3GPP  TS  38.473  V15.2.1（2018-07）
【非特許文献３３】3GPP  TR  38.801  V14.0.0（2017-03）
【非特許文献３４】3GPP  TR  38.802  V14.2.0（2017-09）
【非特許文献３５】3GPP  TR  38.803  V14.2.0（2017-09）
【非特許文献３６】3GPP  TR  38.804  V14.0.0（2017-03）
【非特許文献３７】3GPP  TR  38.900  V15.0.0（2018-06）
【非特許文献３８】3GPP  TR  38.912  V15.0.0（2018-06）
【非特許文献３９】3GPP  TR  38.913  V15.0.0（2018-06）
【発明の概要】
【発明が解決しようとする課題】
【０００７】
無線通信システムにおいて、データ信号通信の遅延時間を低減することが要求されている。例えば、5Gで想定されているURLLCのサービスに対応できるような遅延時間が要求される場合がある。そのため、例えば、端末装置と基地局装置との同期が取れない状況においてデータ信号が発生した場合においても、データ信号送信までの遅延時間の低減が要求される。【０００８】
開示の技術は、データ信号送信までの遅延時間を低減する通信装置、第２通信装置、及び通信システムを提供することにある。
【課題を解決するための手段】
【０００９】
ランダムアクセス手順を実施する通信装置であって、前記ランダムアクセス手順の信号である第１の信号と、前記ランダムアクセス手順の信号ではない第２の信号と、を送信できる送信部と、前記第１の信号で送信される第１の情報を前記第２の信号に含め、前記第２の信号に関連する制御情報を送信する制御を実施できる制御部と、を有する。
【発明の効果】
【００１０】
一開示は、データ信号送信までの遅延量を低減することができる。
【図面の簡単な説明】
【００１１】
【図１】図１は、基地局装置の構成例を示す図である。
【図２】図２は、通信システム１０の構成例を示す図である。
【図３】図３は、非競合型ランダムアクセス手順の例を示すシーケンスである。
【図４】図４は、競合型ランダムアクセス手順の例を示すシーケンスである。
【図５】図５は、基地局装置２００の構成例を示す図である。
【図６】図６は、端末装置１００の構成例を示す図である。
【図７】図７は、基地局装置２００がデータを送信するデータ送信処理のシーケンスの例を示す図である。
【図８】図８は、図３の第１方式と、図４の競合型ランダムアクセス手順との、データ送信完了までのシーケンスの比較の例を示す図である。
【図９】図９は、PDSCHフォーマット（第１フォーマット）の例を示す図である。
【図１０】図１０は、PDSCHフォーマット（第２フォーマット）の例を示す図である。
【図１１】図１１は、PDSCHフォーマット（第３フォーマット）の例を示す図である。
【図１２】図１２は、PDSCHフォーマット（第４フォーマット）の例を示す図である。
【発明を実施するための形態】
【００１２】
以下、本実施の形態について図面を参照して詳細に説明する。本明細書における課題及び実施例は一例であり、本願の権利範囲を限定するものではない。特に、記載の表現が異なっていたとしても、技術的に同等であれば、異なる表現であっても本願の技術を適用可能であり、権利範囲を限定するものではない。
【００１３】
［第１の実施の形態］
最初に第１の実施の形態について説明する。
【００１４】
図１は、基地局装置２０の構成例を示す図である。基地局装置２０は、例えば、通信装置及び送信側通信装置、及び送信側装置である。基地局装置２０は、送信相手装置（図示しない）に、第１の信号、第２の信号、及ぶ制御情報（制御信号）を送信する。
【００１５】
基地局装置２０は、送信部２１と制御部２２を有する。送信部２１及び制御部２２は、例えば、基地局装置２０が有するコンピュータやプロセッサが、プログラムをロードし、実行することで構築される。
【００１６】
基地局装置２０は、送信相手装置にデータを送信するとき、ランダムアクセス手順を実行する。ランダムアクセス手順は、基地局装置２０と送信相手装置との間で実行される無線通信における、無線接続を確立する手順であり、送信するデータ信号の発生時や、ハンドオーバ時の同期を確立する場合に実行される。
【００１７】
基地局装置２０は、データを送信する装置である。基地局装置２０は、第１の信号及び第２の信号を送信する。また、基地局装置２０は、送信する第２の信号に関連する制御情報を送信する。
【００１８】
第１の信号は、基地局装置２０がランダムアクセス手順で使用する信号であって、第１の情報を含む。第１の情報は、ランダムアクセス手順において無線接続を確立するために使用する情報であって、例えば、相手通信装置を識別するための情報などを含む。
【００１９】
第２の信号は、ランダムアクセス手順には使用しない信号であって、例えば、データを送信するための信号である。
【００２０】
第２の信号に関連する制御情報は、例えば、第２の信号に含まれる情報の種別を示す情報である。基地局装置２０は、例えば、第２の信号に第１の情報が含まれていることを第２の信号に関連する制御情報に含め、第２の信号に関連する制御情報を送信する。
【００２１】
送信部２１は、第１の信号及び第２の信号を送信することができる。送信部２１は、例えば、制御部２２が生成する第1の信号及び第２の信号を受け取り、送信相手装置に第１の信号及び第２の信号を送信する。
【００２２】
制御部２２は、第２の信号を生成するとき、第１の情報を含ませることができる。そして、制御部２２は、第２の信号に関連する制御情報（例えば、第１の情報が含まれることを示す）を、送信相手装置に送信することができる。
【００２３】
第１の実施の形態において、基地局装置２０は、ランダムアクセス手順において使用する第１の情報を、第２の信号に含め、送信相手装置に送信する。これにより、基地局装置２０は、ランダムアクセス手順の一部又は全部を省略することができ（または、ランダムアクセス手順と並行してデータ送信ができ、または、非同期状態でのデータ通信を開始することができ）、データをより早く送信することができる。
【００２４】
［第２の実施の形態］
次に、第２の実施の形態について説明する。第２の実施の形態は，第１の実施の形態を具象化した実施例として捉えてもよい。例えば，第１の実施例の基地局装置は本実施例の基地局装置２００と等価として捉えてもよい。
【００２５】
＜通信システムの構成例＞
図２は、通信システム１０の構成例を示す図である。通信システム１０は、端末装置１００及び基地局装置２００を有する。通信システム１０は、例えば、５Ｇに準拠した無線通信の通信システムである。この場合、基地局装置２００は、例えば、５ＧにおけるｇＮｏｄｅＢである。また、端末装置１００は、基地局装置２００と、あるいは基地局装置２００を介して他の通信装置と通信を行う装置であって、例えば、スマートフォンやタブレット端末などの移動体通信端末である。
【００２６】
通信システム１０において、基地局装置２００と端末装置１００は、例えば、基地局装置２００から端末装置１００にデータを送信するとき、ランダムアクセス手順により無線接続を確立する場合がある。
【００２７】
通信システム１０では、ランダムアクセス手順のためのチャネルが用意されている。3GPPにおいては、これをランダムアクセスチャネル（RACH：Random Access Channel）と呼び、RACHによる通信開始手順をランダムアクセス手順（Random Access Procedure）と呼ぶ。RACHには、端末装置１００が送信した無線信号を基地局装置が識別するための情報として、プリアンブルと呼ばれる情報が含まる。この情報により、基地局装置２００は端末装置１００を識別する。
【００２８】
ランダムアクセス手順は、例えば、競合型ランダムアクセス手順（Contention Based Random Access Procedure）と、非競合型ランダムアクセス手順（Non-contention Based Random Access Procedure）がある。
【００２９】
図３は、非競合型ランダムアクセス手順の例を示すシーケンスである。基地局装置２００は、端末装置１００に割り当てた個別プリアンブルを、Random Access Preamble assignment（メッセージ０）で送信する（Ｓ１１）。端末装置１００は、メッセージ０を受信すると、Random access Preamble（メッセージ１）をRACHで基地局装置２００に送信する（Ｓ１２）。基地局装置２００は、メッセージ１を受信すると、上り通信のための同期信号や送信許可などと共にメッセージ１の応答信号であるRandom Access Response（メッセージ２）を、端末装置１００に送信する（Ｓ１３）。
【００３０】
基地局装置２００は、ランダムアクセス手順で確立した無線リソースを使用し、データを端末装置１００に送信する（Ｓ１４）。端末装置１００は、データの受信に成功すると、上りは同期状態に遷移しているため、基地局装置２００にACK(ACKnowledgement：肯定応答)信号を返信する（Ｓ１５）。
【００３１】
図４は、競合型ランダムアクセス手順の例を示すシーケンスである。端末装置１００は、ランダムに選択したプリアンブルを、Random access Preamble（メッセージ１）で基地局装置２００に送信する（Ｓ２１）。基地局装置２００は、上り通信のための同期信号や送信許可などと共にメッセージ１の応答であるRandom Access Response（メッセージ２）を端末装置１００に送信する（Ｓ２２）。端末装置１００は、メッセージ２を受信すると、有効な端末装置の識別子等を含むScheduled Transmission（メッセージ３）を、基地局装置２００に送信する（Ｓ２３）。基地局装置２００は、メッセージ３を受信すると、Contention Resolution（メッセージ４）を、端末装置１００に送信する（Ｓ２４）。
【００３２】
また、基地局装置２００がトリガとなるランダムアクセス手順（例えば、非競合型ランダムアクセス手順）においては、基地局装置２００は、メッセージ０に、個別上述した個別プリアンブル以外に、共有プリアンブルを含める場合がある。共有プリアンブルを含む場合、例えば、端末装置１００は、プリアンブルを選択し、メッセージ２の受信後にメッセージ３を送信する。そして、基地局装置２００からメッセージ４を受信し、同期状態に遷移する。
【００３３】
＜基地局装置の構成例＞
図５は、基地局装置２００の構成例を示す図である。基地局装置２００は、例えば、通信装置及び送信側通信装置、及び送信側装置である。基地局装置２００は、ＣＰＵ（Central Processing Unit）２１０、ストレージ２２０、ＤＲＡＭ（Dynamic Random Access Memory）などのメモリ２３０、ＮＩＣ（Network Interface Card）２４０、及びＲＦ（Radio Frequency）回路２５０を有する。基地局装置２００は、例えば、データを端末装置１００に送信する、送信装置である。
【００３４】
ストレージ２２０は、プログラムやデータを記憶する、フラッシュメモリ、ＨＤＤ（Hard Disk Drive）、又はＳＳＤ（Solid State Drive）などの補助記憶装置である。ストレージ２２０は、通信制御プログラム２２１、及びヘッダフォーマット２２２を記憶する。
【００３５】
ヘッダフォーマット２２２は、以下に説明するPDSCH（Physical Downlink Shared Channel）のフォーマットのパターンを記憶する領域である。基地局装置２００は、ヘッダフォーマット２２２から、適切なPDSCHのフォーマットを選択する。
【００３６】
メモリ２３０は、ストレージ２２０に記憶されているプログラムをロードする領域である。また、メモリ２３０は、プログラムがデータを記憶する領域としても使用される。
【００３７】
ＮＩＣ２４０は、インターネットやイントラネットなどのネットワーク（図示しない）と接続するネットワークインターフェースである。基地局装置２００は、ＮＩＣ２４０を介して、ネットワークに接続する通信装置と通信する。
【００３８】
ＲＦ回路２５０は、端末装置１００と無線接続する装置である。ＲＦ回路２５０は、例えば、アンテナ２５１を有する。
【００３９】
ＣＰＵ２１０は、ストレージ２２０に記憶されているプログラムを、メモリ２３０にロードし、ロードしたプログラムを実行し、各処理を実現するプロセッサ又はコンピュータである。
【００４０】
ＣＰＵ２１０は、通信制御プログラム２２１を実行することで、送信部、制御部、及び受信部を構築し、通信制御処理を行う。通信制御処理は、端末装置１００との間の無線通信を制御する処理である。
【００４１】
ＣＰＵ２１０は、通信制御プログラム２２１が有する第１方式モジュール２２１１を実行することで、送信部、制御部、及び受信部を構築し、第１方式処理を行う。第１方式処理は、以下に説明する第１方式でデータを送信する処理であり、例えば、端末装置１００宛てのデータが発生した時に行われる処理である。基地局装置２００は、例えば、データの種別や無線の状態に応じて、データを送信する方式を選択し、第１方式を選択したとき、第１方式処理を行う。
【００４２】
＜端末装置の構成例＞
図６は、端末装置１００の構成例を示す図である。端末装置１００は、例えば、第２通信装置、受信側通信装置、及び送信相手装置である。端末装置１００は、ＣＰＵ１１０、ストレージ１２０、ＤＲＡＭなどのメモリ１３０、及びＲＦ回路１５０を有する。端末装置１００は、例えば、データを基地局装置２００から受信する、受信装置である。
【００４３】
ストレージ１２０は、プログラムやデータを記憶する、フラッシュメモリ、ＨＤＤ、又はＳＳＤなどの補助記憶装置である。ストレージ１２０は、通信プログラム１２１及びヘッダフォーマット１２２を記憶する。ヘッダフォーマット１２２は、例えば、基地局装置２００が記憶するヘッダフォーマット２２２と同様の情報を記憶する。
【００４４】
メモリ１３０は、ストレージ１２０に記憶されているプログラムをロードする領域である。また、メモリ１３０は、プログラムがデータを記憶する領域としても使用される。
【００４５】
ＲＦ回路１５０は、基地局装置２００と無線接続する装置である。ＲＦ回路１５０は、例えば、アンテナ１５１を有する。
【００４６】
ＣＰＵ１１０は、ストレージ１２０に記憶されているプログラムを、メモリ１３０にロードし、ロードしたプログラムを実行し、各処理を実現するプロセッサ又はコンピュータである。
【００４７】
ＣＰＵ１１０は、通信プログラム１２１を実行することで、信号受信部及び受信制御部を構築し、通信処理を行う。通信処理は、基地局装置２００との間の無線通信を行う処理である。
【００４８】
ＣＰＵ１１０は、通信プログラム１２１が有する第１方式受信モジュール１２１１を実行することで、信号受信部及び受信制御部を構築し、第１方式受信処理を行う。第１方式受信処理は、以下に説明する第１方式でデータを受信する処理である。端末装置１００は、例えば、PDCCH（Physical Downlink Control Channel）で第１方式を使用してデータが送信されることを認識した場合、第１方式受信処理を行うことで、第１方式でデータを受信することができる。
【００４９】
＜データ送信処理＞
図７は、基地局装置２００がデータを送信するデータ送信処理のシーケンスの例を示す図である。第２の実施の形態において、基地局装置２００は、上述したランダムアクセス手順を用いてデータを送信する以外に、以下のデータ送信処理でデータを送信することができる。第２の実施の形態においては、PDSCH orderを規定し、PDSCH orderを用いた方式を、第１方式と呼ぶ。以下、第１方式について説明する。
【００５０】
基地局装置２００において、端末装置１００に送信するデータが発生する（Ｓ３１）。基地局装置２００は、PDSCH orderである旨を含むメッセージを、PDCCH（Physical Downlink Control Channel）で送信する（Ｓ３２）。なお、PDCCHのフォーマットは、例えば、PDSCH用のDCI format（例えば、DCI format1_0またはDCI format1_1） を用いることができる。端末装置１００は、PDSCH orderである旨を受信し、PDSCHでデータ０及び端末装置１００へのデータが送信されることを認識する。
【００５１】
そして、基地局装置２００は、PDSCHでデータ０及び端末装置１００へのデータを、端末装置１００に送信する（Ｓ３３）。
【００５２】
端末装置１００は、PDSCHでデータ０及び自装置宛てのデータを受信すると、Random Access Preamble（メッセージ０）を、自装置宛てのデータを適正に受信したことを示すACK（ACKnowledgement）として、基地局装置２００に送信する。
【００５３】
図８は、図３の第１方式と、図４の競合型ランダムアクセス手順との、データ送信完了までのシーケンスの比較の例を示す図である。図８は、左が第１方式、右が競合型アクセス手順でのデータ送信の例を示す図である。
【００５４】
第１方式では、基地局装置２００においてデータが発生してから、早い場合は次のRandom Access Preamble（メッセージ１）の受信タイミングで、データの送信が完了する。一方、競合型ランダムアクセス手順においては、少なくともRandom Access Preamble（メッセージ１）の受信タイミングの後、データの送信及びACKの受信が発生するため、第１方式と比較して、時間Ｔ１だけデータの送信完了が遅延する。また、免許不要帯域（非ライセンス帯域または暗ライセンスバンドと記載もできる）を用いた競合型ランダムアクセス手順において、各メッセージの送信時にキャリアセンスが発生する場合、送信完了までの遅延は、さらに大きな時間となる。免許不要帯域を用いて信号（メッセージまたはデータ）を送信する際、基地局装置や端末装置等の通信装置は、キャリアセンスを行い、当該免許不要帯域に信号（またはデータ）がない（所定の受信電力以下）ことを確認して送信する必要がある。そのため、メッセージのやり取りの回数が多いと、キャリアセンスの回数も多くなるため、その分（キャリアセンスの回数分）送信完了までの遅延が大きくなる。
【００５５】
＜メッセージフォーマット＞
＜１．第１フォーマット＞
第１方式におけるPDSCHのメッセージフォーマットの例について説明する。
【００５６】
図９は、PDSCHフォーマット（第１フォーマット）の例を示す図である。第１フォーマットは、オクテット１の第１ビットから第５ビットが、Ｒフィールドで構成される。
【００５７】
第１フォーマットは、オクテット１の第６ビットからオクテット２の第３ビットまでの６ビットが、Random Access Preambleで構成される。Random Access Preambleは、Random Access Preambleの番号（識別番号）を示し、例えば、オール０は共有であることを示し、オール０以外の場合は個別であること示す。
【００５８】
第１フォーマットは、オクテット２の第４ビットの１ビットが、UL（UpLink）／SUL（SupplementalUpLink）指標で構成される。UL／SUL指標は、Random Access Preambleが０でないとき、セルにSUL（例えば、上り専用のキャリア）が設定されている場合、SULを使用するか否かを示す。
【００５９】
第１フォーマットは、オクテット２の第５ビットからオクテット３の第２ビットまでの６ビットが、SS/PBCH指標で構成される。SS/PBCH指標は、PRACH送信のためのRACH設定するリソースを決定するために使用される。
【００６０】
第１フォーマットは、オクテット３の第３ビットから第６ビットまでの４ビットが、PRACH Maskで構成される。PRACH Maskは、SS/PBCH指標をマスクするか否かを示す。
【００６１】
第１フォーマットは、オクテット３の第７ビットからオクテット４の第８ビットまでがリザーブビットで構成される。
【００６２】
さらに、第１フォーマットのオクテット５以降は、データ部で構成される。
【００６３】
第１フォーマットでPDSCHを受信した端末装置１００は、当該PDSCHでデータを正常に受信したことを示すACKとして、第１フォーマットで受信したRandom Access Preambleを使用し、基地局装置２００にRandom Access Preamble（第３の信号）を送信する。基地局装置２００は、第１フォーマットで送信したRandom Access Preambleに対応するRandom Access Preambleを受信することで、ACKを受信したと判定する。
【００６４】
一方、端末装置１００は、当該PDSCHでデータを正常に受信できなかった場合（例えば、エラーが存在する場合やPDSCHを受信できない場合）、Random Access Preambleを送信しない。基地局装置２００は、所定時間内に第１フォーマットで送信したRandom Access Preambleに対応するRandom Access Preambleを受信しないことで、端末装置１００が当該PDSCHでデータを正常に受信できなかったことを示すNACK（Negative ACKnowledgement：否定応答）を受信したと判定する。
【００６５】
なお、第１フォーマットは、バイトアラインになるという前提で、DCI Format1_0を、PDSCHのフォーマットに移植したフォーマットである。
【００６６】
＜２．第２フォーマット＞
図１０は、PDSCHフォーマット（第２フォーマット）の例を示す図である。第２フォーマットは、第１フォーマットのＲフィールドやリザーブビットの一部又は全部を省略したフォーマットである。
【００６７】
第２フォーマットは、オクテット１の第１ビットから第６ビットまでの６ビットが、Random Access Preambleで構成される。
【００６８】
第２フォーマットは、オクテット１の第７ビットの１ビットが、UL／SUL指標で構成される。
【００６９】
第２フォーマットは、オクテット１の第８ビットからオクテット２の第５ビットまでの６ビットが、SS/PBCH指標で構成される。
【００７０】
第２フォーマットは、オクテット２の第６ビットからオクテット３の第１ビットまでの４ビットが、PRACH Maskで構成される。
【００７１】
第２フォーマットは、オクテット３の第２ビットから第８ビットまでが、リザーブビットで構成される。
【００７２】
さらに、第２フォーマットのオクテット４以降は、データ部で構成される。
【００７３】
図１０に示すように、Ｒフィールドやリザーブビットの一部又は全部を省力することで、オクテット４からデータを送信することができ、無線リソースを効率的に使用することができる。
【００７４】
なお、端末装置１００からのACK及びNACKの動作については、第１フォーマットと同様である。
【００７５】
＜３．第３フォーマット＞
図１１は、PDSCHフォーマット（第３フォーマット）の例を示す図である。第３フォーマットは、第１フォーマットにおけるオクテット３の第７ビットからオクテット４の第４ビットまでの６ビットを、Random Access Preambleに代替したフォーマットである。
【００７６】
第３フォーマットのオクテット３の第７ビットからオクテット４の第４ビットまでの６ビットのRandom Access Preamble（第２の情報）は、NACK用のRandom Access Preambleの番号（識別番号）として定義される。
【００７７】
第３フォーマットでPDSCHを受信した端末装置１００は、当該PDSCHでデータを受信したことを示すACKとして、第３フォーマットのオクテット１の第６ビットからオクテット２の第３ビットまでを構成するRandom Access Preambleを使用し、基地局装置２００にRandom Access Preambleを送信する。基地局装置２００は、第３フォーマットのオクテット１の第６ビットからオクテット２の第３ビットまでを構成するRandom Access Preambleに対応するRandom Access Preambleを受信することで、ACKを受信したと判定する。
【００７８】
一方、端末装置１００は、当該PDSCHでデータを適切に受信できなかった場合、第３フォーマットのオクテット３の第７ビットからオクテット４の第４ビットまでを構成するRandom Access Preamble（NACK用に定義されたRandom Access Preamble）を使用し、基地局装置２００にRandom Access Preambleを送信する。基地局装置２００は、NACK用に定義されたRandom Access Preambleを受信することで、NACKを受信したと判定する。
【００７９】
＜４．第４フォーマット＞
図１２は、PDSCHフォーマット（第４フォーマット）の例を示す図である。第４フォーマットは、第３フォーマットのＲフィールドやリザーブビットの一部又は全部を省略したフォーマットである。
【００８０】
第４フォーマットは、オクテット１の第１ビットからオクテット３の第１ビットまでは、第２フォーマットと同様の構成である。
【００８１】
第４フォーマットは、オクテット３の第２ビットから第７ビットまでの６ビットが、Random Access Preamble（NACK用）で構成される。
【００８２】
第４フォーマットは、オクテット３の第８ビットが、リザーブビットで構成される。
【００８３】
さらに、第２フォーマットのオクテット４以降は、データ部で構成される。
【００８４】
図１２に示すように、Ｒフィールドやリザーブビットの一部又は全部を省力することで、オクテット４からデータを送信することができ、無線リソースを効率的に使用することができる。
【００８５】
なお、端末装置１００からのACK及びNACKの動作については、第３フォーマットと同様である。
【００８６】
＜データ送信方式の選択＞
基地局装置２００は、端末装置１００にデータを送信するとき、上述した第１方式を含む複数の方式から、データ送信方式を選択する。
【００８７】
基地局装置２００は、例えば、端末装置１００に送信するデータの種別に応じて、データ送信方式を選択する。基地局装置２００は、URLLCのデータなど、端末装置１００に送信するデータの許容遅延時間が所定値より小さい場合、第１方式を選択する。
【００８８】
また、基地局装置２００は、例えば、無線の状態に応じて、データ送信方式を選択する。基地局装置２００は、PDSCHを送信する無線リソースの状態が所定値以上に良好である場合（例えば、フレームエラーレートが所定値以下、送信又は受信電力が所定値以上など）、第１方式を選択する。
【００８９】
これにより、基地局装置２００は、適切に第１方式を選択することができ、データの送信遅延を抑制することができる。
【００９０】
＜端末装置におけるＡＣＫ／ＮＡＣＫ送信＞
端末装置１００は、第１方式以外では、例えば、PUCCH （Physical Uplink Control Channel）など、比較的高品質なチャネルを使用してACK又はNACKを送信する。しかし、端末装置１００は、第１方式では、RACHで送信するRandom Access Preambleを使用し、ACK又はNACKを送信する。そのため、基地局装置２００において、ACK又はNACKの受信品質が低下する場合がある。
【００９１】
端末装置１００は、第１方式でのACK又はNACKが基地局装置２００に到達する確率を向上させるため、Random Access Preambleの送信を複数回繰り返してもよい。繰り返し送信の実行の有無や、繰り返し回数については、基地局装置２００及び端末装置１００のどちらが決定してもよい。また、繰り返し送信の実行の有無や、繰り返し回数については、無線の状態や過去又は現在の送信成功率に応じて決定されてもよい。
【００９２】
［その他の実施の形態］
各実施の形態は、それぞれ組み合わせてもよい。
【００９３】
端末装置１００及び基地局装置２００は、例えば、第１フォーマットから第４フォーマットのうち、いずれか１つのフォーマットのみに対応してもよいし、２以上の組み合わせに対応してもよい。
【符号の説明】
【００９４】
１０      ：通信システム
２０      ：基地局装置
２１      ：送信部
２２      ：制御部
１００    ：端末装置
１１０    ：ＣＰＵ
１２０    ：ストレージ
１２１    ：通信プログラム
１２１１  ：第１方式受信モジュール
１３０    ：メモリ
１５０    ：ＲＦ回路
１５１    ：アンテナ
２００    ：基地局装置
２１０    ：ＣＰＵ
２２０    ：ストレージ
２２１    ：通信制御プログラム
２２１１  ：第１方式モジュール
２２２    ：ヘッダフォーマット
２３０    ：メモリ
２５０    ：ＲＦ回路
２５１    ：アンテナ
【図１】
2020148817.tif 000003
【図２】
2020148817.tif 000004
【図３】
2020148817.tif 000005
【図４】
2020148817.tif 000006
【図５】
2020148817.tif 000007
【図６】
2020148817.tif 000008
【図７】
2020148817.tif 000009
【図８】
2020148817.tif 000010
【図９】
2020148817.tif 000011
【図１０】
2020148817.tif 000012
【図１１】
2020148817.tif 000013
【図１２】
2020148817.tif 000014
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
ランダムアクセス手順を実施する通信装置であって、
前記ランダムアクセス手順の信号である第１の信号と、前記ランダムアクセス手順の信号ではない第２の信号と、を送信できる送信部と、
前記第１の信号で送信される第１の情報を前記第２の信号に含め、前記第２の信号に関連する制御情報を送信する制御を実施できる制御部と、
を有する通信装置。
【請求項２】
さらに、送信相手装置が送信した前記ランダムアクセス手順の応答信号である第３の信号を、前記第２の信号を前記送信相手装置が正常に受信したことを示す肯定応答として受信する受信部と、
を有する請求項１記載の通信装置。
【請求項３】
前記制御部は、前記送信相手装置が前記第２の信号を正常に受信できなかったことを示す否定応答に対応する第２の情報を、前記第２の信号に含め送信し、
前記受信部は、前記第３の信号が前記第２の情報に関連する場合、前記第３の信号を前記否定応答として受信する
を有する請求項２記載の通信装置。
【請求項４】
前記第２の情報は、前記第２の信号の否定応答に対応するRandom Access Preambleを示す情報を含む
請求項３に記載の通信装置。
【請求項５】
ランダムアクセス手順を実施する第２通信装置であって、
送信側装置が送信する、前記ランダムアクセス手順の信号である第１の信号と、前記ランダムアクセス手順の信号ではない第２の信号と、を受信できる信号受信部と、
前記送信側装置が前記第１の信号で送信される第１の情報を含む前記第２の信号を送信するときに送信する、前記第２の信号に関連する制御情報を受信し、前記第２の信号に前記第１の情報が含まれることを認識することができる受信制御部と、
を有する第２通信装置。
【請求項６】
前記受信制御部は、前記第１の情報が含まれる前記第２の信号を正常に受信したとき、前記ランダムアクセス手順の応答信号である第３の信号を送信する
請求項５記載の第２通信装置。
【請求項７】
さらに、前記送信側装置は、前記第２通信装置が前記第２の信号を正常に受信できなかったことを示す否定応答に対応する第２の情報を、前記第２の信号に含め送信し、
前記受信制御部は、前記第１の情報が含まれる前記第２の信号を正常に受信できないとき、前記第３の信号に前記第２の情報が含め送信する、
請求項６記載の第２通信装置。
【請求項８】
ランダムアクセス手順を実施する送信側通信装置と受信側通信装置を有する通信システムであって、
前記送信側通信装置は、
前記ランダムアクセス手順の信号である第１の信号と、前記ランダムアクセス手順の信号ではない第２の信号と、を送信できる送信部と、
前記第１の信号で送信される第１の情報を前記第２の信号に含め、前記第２の信号に関連する制御情報を送信する制御を実施できる制御部と、を有し、
前記受信側通信装置は、
前記送信側通信装置が送信する、前記第１の信号と前記第２の信号を受信できる信号受信部と、
前記送信側通信装置が送信する前記第２の信号に関連する制御情報を受信し、前記第２の信号に前記第１の情報が含まれることを認識することができる受信制御部と、を有する、
通信システム。
【手続補正書】
【提出日】令和3年8月17日(2021.8.17)
【手続補正１】
【補正対象書類名】明細書
【補正対象項目名】００１４
【補正方法】変更
【補正の内容】
【００１４】
図１は、基地局装置２０の構成例を示す図である。基地局装置２０は、例えば、通信装置、送信側通信装置、及び送信側装置である。基地局装置２０は、送信相手装置（図示しない）に、第１の信号、第２の信号、及ぶ制御情報（制御信号）を送信する。
【手続補正２】
【補正対象書類名】明細書
【補正対象項目名】００３２
【補正方法】変更
【補正の内容】
【００３２】
また、基地局装置２００がトリガとなるランダムアクセス手順（例えば、非競合型ランダムアクセス手順）においては、基地局装置２００は、メッセージ０に、上述した個別プリアンブル以外に、共有プリアンブルを含める場合がある。共有プリアンブルを含む場合、例えば、端末装置１００は、プリアンブルを選択し、メッセージ２の受信後にメッセージ３を送信する。そして、基地局装置２００からメッセージ４を受信し、同期状態に遷移する。
【手続補正３】
【補正対象書類名】明細書
【補正対象項目名】００３３
【補正方法】変更
【補正の内容】
【００３３】
＜基地局装置の構成例＞
図５は、基地局装置２００の構成例を示す図である。基地局装置２００は、例えば、通信装置、送信側通信装置、及び送信側装置である。基地局装置２００は、ＣＰＵ（Central Processing Unit）２１０、ストレージ２２０、ＤＲＡＭ（Dynamic Random Access Memory）などのメモリ２３０、ＮＩＣ（Network Interface Card）２４０、及びＲＦ（Radio Frequency）回路２５０を有する。基地局装置２００は、例えば、データを端末装置１００に送信する、送信装置である。
【手続補正４】
【補正対象書類名】明細書
【補正対象項目名】００５０
【補正方法】変更
【補正の内容】
【００５０】
基地局装置２００において、端末装置１００に送信するデータが発生する（Ｓ３１）。基地局装置２００は、PDSCH orderである旨を含むメッセージを、PDCCH（Physical Downlink Control Channel）で送信する（Ｓ３２）。なお、PDCCHのフォーマットは、例えば、PDSCH用のDCI format（例えば、DCI format1_0またはDCI format1_1） を用いることができる。端末装置１００は、PDSCH orderである旨を受信し、PDSCHでメッセージ０及び端末装置１００へのデータが送信されることを認識する。
【手続補正５】
【補正対象書類名】明細書
【補正対象項目名】００５１
【補正方法】変更
【補正の内容】
【００５１】
そして、基地局装置２００は、PDSCHでメッセージ０及び端末装置１００へのデータを、端末装置１００に送信する（Ｓ３３）。
【手続補正６】
【補正対象書類名】明細書
【補正対象項目名】００５２
【補正方法】変更
【補正の内容】
【００５２】
端末装置１００は、PDSCHでメッセージ０及び自装置宛てのデータを受信すると、Random Access Preamble（メッセージ１）を、自装置宛てのデータを適正に受信したことを示すACK（ACKnowledgement）として、基地局装置２００に送信する。
【手続補正７】
【補正対象書類名】明細書
【補正対象項目名】００５３
【補正方法】変更
【補正の内容】
【００５３】
図８は、図７の第１方式と、図３の非競合型ランダムアクセス手順との、データ送信完了までのシーケンスの比較の例を示す図である。図８は、左が第１方式、右が非競合型アクセス手順でのデータ送信の例を示す図である。
【手続補正８】
【補正対象書類名】明細書
【補正対象項目名】００５４
【補正方法】変更
【補正の内容】
【００５４】
第１方式では、基地局装置２００においてデータが発生してから、早い場合は次のRandom Access Preamble（メッセージ１）の受信タイミングで、データの送信が完了する。一方、競合型ランダムアクセス手順においては、少なくともRandom Access Preamble（メッセージ１）の受信タイミングの後、データの送信及びACKの受信が発生するため、第１方式と比較して、時間Ｔ１だけデータの送信完了が遅延する。また、免許不要帯域（非ライセンス帯域またはアンライセンスバンドと記載もできる）を用いた競合型ランダムアクセス手順において、各メッセージの送信時にキャリアセンスが発生する場合、送信完了までの遅延は、さらに大きな時間となる。免許不要帯域を用いて信号（メッセージまたはデータ）を送信する際、基地局装置や端末装置等の通信装置は、キャリアセンスを行い、当該免許不要帯域に信号（またはデータ）がない（所定の受信電力以下）ことを確認して送信する必要がある。そのため、メッセージのやり取りの回数が多いと、キャリアセンスの回数も多くなるため、その分（キャリアセンスの回数分）送信完了までの遅延が大きくなる。
【手続補正９】
【補正対象書類名】明細書
【補正対象項目名】００７３
【補正方法】変更
【補正の内容】
【００７３】
図１０に示すように、Ｒフィールドやリザーブビットの一部又は全部を省略することで、オクテット４からデータを送信することができ、無線リソースを効率的に使用することができる。
【手続補正１０】
【補正対象書類名】明細書
【補正対象項目名】００８４
【補正方法】変更
【補正の内容】
【００８４】
図１２に示すように、Ｒフィールドやリザーブビットの一部又は全部を省略することで、オクテット４からデータを送信することができ、無線リソースを効率的に使用することができる。
【国際調査報告】
2020148817.tif 000015
2020148817.tif 000016